(57)【要約】【課題】展示品と商品を省スペースで展示、陳列することができる展示什器を提供する。【解決手段】展示什器１は、胴部２１および胴部２１の表面から突出したアーム部２２からなる展示本体２と、展示本体２の胴部２１に装着され、横バー７０に係止して展示本体２を横バー７０に固定するための留め具３と、展示本体２のアーム部２２の先端部に設けた展示品支持部４と、商品パッケージ８１を吊り下げるための吊り下げ具５と、を備えている。アーム部２２は、筒状基部２３と、筒状基部２３の長手方向にスライド可能な可動部材２４とからなる。ネジ２８を緩めると、可動部材２４がスライド可能となる。筒状基部２３内には、渦巻きばねを利用した自動巻き取り器（リール）２６が配設され、展示品支持部４に支持される展示品８０を繋ぐためのワイヤ２７がアーム部２２に内蔵されている。【選択図】図１
2010233889.tif 000002
【特許請求の範囲】
【請求項１】
胴部および前記胴部の表面から前方に向けて突出したアーム部からなる本体と、
前記本体の胴部に装着され、前記本体のアーム部を前方に向けて固定するための留め具と、
前記本体のアーム部の先端部に設けた展示品支持部と、
を備えたことを特徴とする、展示什器。
【請求項２】
前記本体のアーム部の上部に、展示品に対応する商品を収容したパッケージを吊り下げるための吊り下げ具が形成された、請求項１に記載の展示什器。
【請求項３】
吊り下げ部は、商品を吊り下げる吊り下げ具が、前記本体のアーム部に略平行して配設されていることを特徴とする、請求項１ないし請求項２のいずれかに記載の展示什器。
【請求項４】
前記アーム部は、胴部の前方において、前後方向に伸縮することを特徴とする、請求項１ないし請求項３のいずれかに記載の展示什器。
【請求項５】
前記展示品支持部に支持される展示品を繋ぐための巻き取り機構付きワイヤが、前記本体のアーム部に内蔵されていることを特徴とする、請求項１ないし請求項４のいずれかに記載の展示什器。
【請求項６】
前記展示指示部にコンセントが形成されていることを特徴とする、請求項１ないし請求項４のいずれかに記載の展示什器。
【発明の詳細な説明】
【技術分野】
【０００１】
本発明は、展示什器に関し、特に、例えば展示品や商品を展示、陳列及び販売をするに適する展示什器に関する。
【背景技術】
【０００２】
従来より、商品の店頭販売に際して、展示品（サンプル品）を陳列台に並べて展示、陳列することが行われている。一方、商品は、通常、展示品の横に陳列されていることが多い（例えば、特許文献１参照）。
【先行技術文献】
【特許文献】
【０００３】
【特許文献１】特開２０００−８３７７８号公報
【発明の概要】
【発明が解決しようとする課題】
【０００４】
一般に、商品の店頭販売に際しては、限られたスペースにできるだけ多数の展示品や商品を陳列することが望まれる。しかしながら、特許文献１に記載の展示什器の場合、商品を展示品の横に陳列するため、展示品のスペースの他に商品設置スペースを確保しなければならず、その分、陳列スペースが制限されるという不具合があった。
【０００５】
それゆえに、本発明の主たる目的は、展示品と商品を省スペースで展示、陳列することができる展示什器を提供することである。
【課題を解決するための手段】
【０００６】
請求項１に係る発明は、胴部および前記胴部の表面から前方に向けて突出したアーム部からなる本体と、前記本体の胴部に装着され、前記本体のアーム部を前方に向けて固定するための留め具と、前記本体のアーム部の先端部に設けた展示品支持部と、を備えたことを特徴とする、展示什器である。
【０００７】
請求項１の発明では、本体のアーム部の先端部に展示品支持部が設けられているため、展示品支持部によって展示された展示品が顧客の目につき易く、顧客へのアピール度が高い。一方、展示品支持部の後方の本体のアーム部の上方もしくは下方には、大きな空きスペースが形成されており、この空きスペースを商品陳列用スペースとして有効利用することができる。
【０００８】
請求項２に係る発明は、前記本体のアーム部の上部に、展示品に対応する商品を収容したパッケージを吊り下げるための吊り下げ具が形成された、請求項１に記載の展示什器である。
【０００９】
請求項２の発明では、前記本体のアーム部の上部に、展示品に対応する商品を収容したパッケージを吊り下げるための吊り下げ具が形成されているので、パッケージに収容された商品の陳列スペースとして有効に利用することができる。
【００１０】
請求項３に係る発明は、吊り下げ部は、商品を吊り下げる吊り下げ具が、前記本体のアーム部に略平行して配設されていることを特徴とする、請求項１ないし請求項２のいずれかに記載の展示什器である。
【００１１】
請求項３の発明では、商品を吊り下げる吊り下げ具が本体のアーム部に略平行して配設されているため、商品をこの吊り下げ具に吊り下げることによって容易に商品を陳列することができる。
【００１２】
請求項４に係る発明は、前記アーム部は、胴部の前方において、前後方向に伸縮することを特徴とする、請求項１ないし請求項４のいずれかに記載の展示什器である。
【００１３】
請求項４の発明では、アーム部が伸縮するため、商品の数量や商品の厚みに合わせて商品陳列用スペースの奥行きを広くしたり、狭くしたりして最適な商品陳列用スペースを確保することができる。
【００１４】
請求項５に係る発明は、前記展示品支持部に支持される展示品を繋ぐための巻き取り機構付きワイヤが、前記本体のアーム部に内蔵されていることを特徴とする、請求項１ないし請求項４のいずれかに記載の展示什器である。
【００１５】
請求項５の発明では、巻き取り機構付きワイヤが展示品を繋いでいるため、展示品の盗難を防止できるとともに、顧客が展示品を手に取って見たいときには、展示品を展示品支持部から外して引き寄せれば、ワイヤが最適な長さだけ引き出され、見終わったときには展示品を展示品支持部に戻せば、ワイヤが自動的に巻き取る機構によって巻き取られるため、ワイヤの垂れ下がりという外観的な不具合を解消できる。
【００１６】
請求項６に係る発明は、前記展示品指示部にコンセントが形成されていることを特徴とする、請求項１ないし請求項４のいずれかに記載の展示什器である。
【００１７】
請求項６の発明では、足下灯を点灯状態で展示するなど、小型の電気製品の使用状態を示すように展示することができる。
【発明の効果】
【００１８】
本発明によれば、本体のアーム部の先端部に展示品支持部が設けられているので、展示品支持部によって展示された展示品が顧客の目につき易く、顧客へのアピール度を高くできる。一方、展示品支持部の後方の本体のアーム部の上方もしくは下方には、空きスペースが形成されており、この空きスペースを商品陳列用スペースとして有効利用することができる。この結果、展示品と商品を省スペースで展示、陳列することができる展示什器が得られる。
【００１９】
本発明の上述の目的、その他の目的、特徴および利点は、図面を参照して行う以下の発明を実施するための最良の形態の説明から一層明らかとなろう。
【図面の簡単な説明】
【００２０】
【図１】本発明に係る展示什器の第１実施形態を示す斜視図である。
【図２】図１に示した展示什器の分解斜視図である。
【図３Ａ】図１に示した展示什器の中央縦断面図である。
【図３Ｂ】図３ＡのＡ方向矢視断面図解図である。
【図４】展示本体の組み立て斜視図である。
【図５】展示品を展示什器に取り付ける方法を説明するための斜視図である。
【図６】本発明に係る展示什器の第２実施形態を示す斜視図である。
【図７】図６に示した展示什器の分解斜視図である。
【図８】図６に示した展示什器の断面図である。
【図９】展示品を展示什器に取り付ける方法を説明するための斜視図である。
【発明を実施するための形態】
【００２１】
（第１実施形態、図１〜図５）
図１は、本発明に係る展示什器の第１実施形態を示す斜視図であり、図２は、分解斜視図であり、図３は、断面図である。
【００２２】
展示什器１は、胴部２１および前記胴部２１の表面から突出したアーム部２２からなる側面視略Ｌ字形の展示本体２と、展示本体２の胴部２１に装着され、横バー７０に係止して展示本体２を横バー７０に固定するための留め具３と、展示本体２のアーム部２２の先端部に設けた展示品支持部４と、商品パッケージ８１を吊り下げるための吊り下げ具５と、を備えている。
【００２３】
展示本体２の胴部２１は、全体が長尺形状をしており、垂直状にのびる平板状胴部本体２１ｄと、前記胴部本体２１ｄの両端から前方に向けて突き出し設けられた左右の側部２１ｅ，２１ｆとを有し、左側部２１ｅ及び右側部２１ｆが直角に折り曲げられた断面略コ字形で、機械的強度をアップしている。胴部２１の両側部の前面は、垂直にのびる直線状であり、胴部２１の下部前面には、アーム部２２が、前方に向けて突き出すように設けられている。すなわち、図４に示すように、胴部２１の下部に形成した穴２１ａ，２１ａを貫通して、アーム部２２の胴部２１との接合面に形成したネジ穴２３ｂ，２３ｂにネジ２５を螺着して締めることによって、胴部２１とアーム部２２を、直交するように接合して、側面視略Ｌ字形の展示本体２を形成している。
【００２４】
アーム部２２は、筒状基部２３と、筒状基部２３の長手方向にスライド可能な可動部材２４とからなる。筒状基部２３は、水平面上をのび、上面及び下面が平面の平板状上壁部２３ｄと、前記上壁部２３ｄの左右端より垂下された平板状左側壁部２３ｅ及び平板状右側壁部２３ｆと、前記左側壁部２３ｅの下端及び右側壁部２３ｆの下端の間に横架された下壁部２３ｇとを有している。右側壁部２３ｆの内面と左側壁部２３ｅの内面とは、平面状で、対向している。筒状基部２３の上面には、スリット２３ａが形成されている。
【００２５】
一方、可動部材２４は、水平面上をのびる平板状上壁部２４ｄと、前記上壁部２４ｄの両端より垂下された左側壁部２４ｅ及び右側壁部２４ｆとを有している。
可動部材２４の上壁部２４ｄは、筒状基部２３の上壁部２３ｄの下面と密接する平面状上面を備え、筒状基部２３の左側壁部２３ｅと筒状基部２３の右側壁部２３ｆとの間に嵌合する幅を有している。
そして、可動部材２４の左側壁部２４ｅの外側面は、筒状基部２３の左側壁部２３ｅの内面と密に接する平面に形成され、可動部材２４の右側壁部２４ｆの外側面は、筒状基部２３の右側壁部２３ｆの内面と密に接する平面に形成されている。可動部材２４の上壁部２４ｄの上面には、筒状基部２３の上壁部２３ｄのスリット２３ａから露出する位置に複数のネジ穴２４ｇが形成されており、このネジ穴２４ｇにネジ２８が螺着している。
そして、二つのネジ２８を緩めると、ネジ２８がスリット２３ａに規制されながら、可動部材２４が前後方向にスライド可能となる。ネジ２８を締めると、可動部材２４が筒状基部２３に固定される。
【００２６】
可動部材２４の先端には展示品支持部４が取り付けられている。
さらに、筒状基部２３の左側壁部２３ｅと右側壁部２３ｆとの間には、渦巻きばねを利用した自動巻き取り器（リール）２６が配設され、展示品支持部４に支持される展示品８０を繋ぐためのワイヤ２７がアーム部２２に内蔵されている。
ワイヤ２７の先端部は、展示品支持部４に形成されている穴４１を貫通して、展示品支持部４の表面に配設されている。
【００２７】
展示品支持部４は、可動部材２４及び可動部材２４と直交する横方向にのびる板状の支持部４２と、前記支持部４２の下端において前方に向けて突き出し設けられた展示器の載置ないしは固定する展示品載置・固定部４４とを備えている。
展示品支持部４は、支持部４２の上部の中央において、可動部材２４の前端に固定されている。
そして、展示品載置・固定部４４は、展示品８０の形状に沿う上面を備え、展示品８０の長さに対応する幅を有している。
【００２８】
この展示本体２は、胴部２１の長手方向が垂直方向になるように、陳列場所の壁面（あるいは陳列用ボード面や金網面など）に取り付けられた商品陳列用固定棒たる横バー７０に、留め具３によって係止される。
横バー７０は、水平面上をのび、上面が平面の平板状上壁部７０ａと、前記上壁部７０ａの前端より垂下された前面が平面の平板状の前壁部７０ｂ及び前記上壁部７０ａの後端より垂下された後面が平面の平板状の後壁部７０ｃと、前壁部７０ｂと後壁部７０ｃの下端において架け渡された下壁部７０ｄとを備えた断面略□字形の角筒状であり、横バー７０は、横バー７０の前壁部７０ｂ及び後壁部７０ｃが陳列場所の壁面と平行で水平にのびるように、陳列場所の壁面等に取り付けられる。
【００２９】
留め具３は、側面視略コ字形をしており、頭部３１および頭部３１の上端及び下端に連設した一対の足部３２，３３を備える。
頭部３１は、胴部２１の胴部本体２１ｄの幅よりも長い幅を有し且つ横バー７０の高さすなわち前壁部７０ｂ及び後壁部７０ｃの高さより若干長い高さを有し、垂直方向にのびる平板状の正面視略長方形である。
足部３２は、頭部３１の上端より後方に向けて突き出し設けられ、下面が平面の平板状で頭部３１と直交するように形成され、足部３３は、頭部３１の下端より後方に向けて突き出し設けられ、上面が平面の平板状で頭部３１と直交するように形成されている。足部３２の下面と足部３３の上面との間隔は、足部３２の下面が横バー７０の上壁部７０ａの上面と密接し、足部３３の上面が横バー７０の下壁部７０ｄの下面と密接するように、空けられ、足部３２と足部３３とは対向している。
足部３２は、頭部３１の左側から突き出された左足部３２ａと頭部３１の右側から突き出された右足部３２ｂとに分かれており、左足部３２ａの後端と右足部３２ｂの後端とは、平板状の架設部３２ｃが横架されて連設されている。
足部３３は、頭部３１の左側から突き出された左足部３３ａと頭部３１の右側から突き出された右足部３３ｂとに分かれており、左足部３３ａの後端と右足部３３ｂの後端とは、平板状の架設部３３ｃが横架されて連設されている。この実施の形態においては、足部３２，３３の先端部は、展示本体２の胴部２１の背面に当接するように外方向に直角に折り曲げられて、架設部３２ｃ，３３ｃが形成されている。
足部３２，３３には、それぞれ、展示本体２の胴部２１を挿通するための矩形穴３４，３５が形成されている。
足部３２に穿設された矩形穴３４は、平面略方形であり、足部３３に穿設された矩形穴３５は、平面略方形であり、矩形穴３４と矩形穴３５とは、略同一の形状である。
足部３２及び３３に形成された矩形穴３４，３５の幅は、展示本体２の胴部２１の幅と略同じ幅を有している。足部３２及び足部３３の奥行きの長さすなわち前後方向における長さは、展示本体２の胴部２１の奥行きの長さすなわち左側部２１ｅ及び右側部２１ｆの前後方向における長さと、横バー７０の奥行きの長さすなわち前後方向における長さと、後述する吊り下げ具５の固定部５２を嵌合するための奥行きの長さすなわち前後方向における長さとの和とほぼ同じかそれより長く形成されている。
さらに、頭部３１には、二つのネジ穴３１ａ，３１ｂが、適宜な間隔をあけて形成されており、このネジ穴３１ａ，３１ｂに固定ネジ３８ａ，３８ｂが螺着している。
左側のネジ穴３１ａと右側のネジ穴３１ｂとの間隔は、後述する吊り下げ具５の固定部５２の幅より広い間隔に形成され、ネジ穴３１ａに螺着された固定ネジ３８ａ及びネジ穴３１ｂに螺着された固定ネジ３８ｂが、いずれも横バー７０の前面すなわち前壁部７０ｂの前面に接し、固定ネジ３８ａと固定ネジ３８ｂとが横バー７０を後方に向けて押圧し、架設部３２ｃ及び架設部３３ｃとにより挟持して展示本体２を横バー７０に固定することができるように構成されている。
【００３０】
また、商品のパッケージ８１を吊り下げるための吊り下げ具５は、細い棒状のフック５１を有しており、展示本体２のアーム部２２に略平行して配設されている。吊り下げ具５は、フック５１の根元部に設けた略コ字形固定部５２を横バー７０に嵌め合わせて装着される。
固定部５２は、フック５１をその上面に固定するための平板状上壁部５２ａと、該上壁部５２ａの前端から垂下された平板状前壁部５２ｂと前壁部５２ｂの後端から垂下された平板状後壁部５２ｃとを有し、前壁部５２ｂと後壁部５２ｃとは対向している。
前壁部５２ｂと後壁部５２ｃとの間の間隔は、横バー７０の前後面に接し合って嵌合されるに適するように、横バー７０の奥行きの長さすなわち上壁部７０ａ及び下壁部７０ｄの幅に相当するように構成され、前壁部５２ｂと後壁部５２ｃとの高さは、フック５１にパッケージ８１が吊り下げられても、その重さにより前壁部５２ｂと後壁部５２ｃとが横バー７０から外れない長さを備えている。
フック５１の先端部は、パッケージ８１がフック５１から外れにくくするために上方向に若干曲げられている。
【００３１】
以上の構成からなる展示什器１を用いた展示、陳列の一例について説明する。
図５に示すように、展示品支持部４の表面に配設されているワイヤ２７を適当な長さ引き出した後、ワイヤ２７の先端部分を展示品（本第１実施形態の場合はＬＥＤライト）８０の胴部に巻き回し、ワイヤ２７の先端に装着している円筒型カシメ端子６１をペンチ１００などでかしめて展示品８０を繋ぐ。この後、展示品８０を展示品支持部４に載置する。ワイヤ２７は自動的にリール２６によって巻き取られる。
【００３２】
次に、留め具３を正面から横バー７０の前面に被せ、下から展示本体２の胴部２１を留め具３の一対の足部３２，３３のそれぞれの矩形穴３４，３５の向こう側に挿通し、横バー７０の背面側に配設する。胴部２１を横バー７０に固定する高さ位置は、フック５１に吊り下げられたパッケージ８１の下端が筒状基部２３及び可動部材２４に接触しないような位置に設定され、パッケージ８１を吊り下げることができるスペースを確保するように設定する。この後、固定ネジ３８ａ，３８ｂを締めて、展示本体２を横バー７０に仮固定する。
【００３３】
次に、展示本体２のアーム部２２の二つのネジ２８を緩め、可動部材２４を前後にスライドさせてアーム部２２全体の長さを調整する。このように、アーム部２２を前後方向に伸縮させることにより、商品を収容したパッケージ８１の数量やパッケージ８１の厚みに合わせて商品陳列用スペースの奥行きを広くしたり、狭くしたりして最適な商品陳列用スペースを確保することができる。この後、ネジ２８を締めて可動部材２４を筒状基部２３に固定する。
【００３４】
次に、留め具３の二つの固定ネジ３８ａ，３８ｂを緩め、展示本体２の胴部２１を横バー７０に対して上下にスライドさせ、展示本体２の高さ位置（言い換えると、展示品８０の高さ位置）を調整して本固定する。さらに、吊り下げ具５の根元部に設けた固定部５２を上から横バー７０に嵌め合わせて吊り下げ具５を装着する。この後、展示品８０と同一の商品を収容したパッケージ８１を、吊り下げ孔８２に吊り下げ具５に貫挿して、吊り下げることによって、容易にパッケージ８１に入れられた商品を陳列することができる。
【００３５】
以上のように、展示本体２のアーム部２２の先端部に展示品支持部４が設けられているので、展示品支持部４によって展示された展示品８０が顧客の目につき易く、顧客へのアピール度を高くできる。一方、展示品支持部４の後方の展示本体２のアーム部２２の上方には、空きスペースが形成されており、この空きスペースを商品陳列用スペースとして有効利用することができる。すなわち、商品を収容したパッケージ８１を展示品８０の横に陳列する従来の方法と比較して、狭い設置幅で展示品８０および商品を収容したパッケージ８１を陳列できるので、陳列場所の幅が同じであればパッケージ８１の陳列数を増やすことができ、パッケージ８１の陳列数が同じであれば陳列場所の幅を狭くできる。この結果、展示品８０と商品を収容したパッケージ８１を省スペースで展示、陳列することができる展示什器１が得られる。
【００３６】
また、リール２６付きワイヤ２７が展示品８０を展示本体２に繋いでいるため、展示品８０の盗難を防止できるとともに、顧客が展示品８０を手に取って見たいときには、展示品８０を展示品支持部４から外して引き寄せれば、ワイヤ２７が最適な長さだけリール２６から引き出され、見終わったときには展示品８０を展示品支持部４に戻せば、ワイヤ２７が自動的にリール２６によって巻き取られるため、ワイヤ２７の垂れ下がりという外観的な不具合を解消できる。また、展示品８０がＬＥＤライトなどのような乾電池を用いた小型の電気製品である場合、ＬＥＤライトを実際に手にとって、試用することができ、試用後にＬＥＤライトを展示品支持部４に戻すときに、ワイヤ２７がリール２６によって巻き取られる。
【００３７】
（第２実施形態、図６〜図９）
図６は、本発明に係る展示什器の第２実施形態を示す斜視図であり、図７は、分解斜視図であり、図８は、断面図である。なお、図６〜図８において、前記第１実施形態の展示什器１と同一部品および同一部分には同じ符号を付し、その詳細な説明は省略する。
【００３８】
展示什器１Ａは、胴部２１および前記胴部２１の表面から突出したアーム部２２２からなる側面視略Ｌ字形の展示本体２と、展示本体２の胴部２１に装着され、横バー７０に係止して展示本体２を横バー７０に固定するための留め具３と、展示本体２のアーム部２２２の先端部に設けたコンセント２６０と、コンセント２６０に装着されている展示用ボード２６４と、商品パッケージ８５を吊り下げるための吊り下げ具５と、を備えている。
【００３９】
展示本体２の胴部２１は、全体が長尺形状をしており、垂直状にのびる平板状胴部本体と、前記胴部本体の両端から前方に向けて突き出し設けられた両側部とを有し、両側部が直角に折り曲げられた断面略コ字形で、機械的強度をアップしている。胴部２１の両側部の前面は垂直にのびる直線状であり、胴部２１の下部表面にはアーム部２２２が、前方に向けて突き出すように設けられている。
【００４０】
アーム部２２２は、樋状基部２２３と、樋状基部２２３の長手方向にスライド可能な可動部材２２４とからなる。
樋状基部２２３は、水平面上をのび、上面及び下面が平面の平板状下壁部２２３ｇと、前記下壁部２２３ｇの左右端より直交するように立ち上げられた平板状左側壁部２２３ｅ及び平板状右側壁部２２３ｆとを有している。右側壁部２２３ｆの内面と左側壁部２２３ｅの内面とは、平面状で、対向している。
可動部材２２４の上面にはスリット２２４ａが形成されている。
【００４１】
一方、可動部材２２４は、水平面上をのびる平板状上壁部２２４ｄと、前記上壁部２２４ｄの両端より垂下された左側壁部２２４ｅ及び右側壁部２２４ｆとを有している。
可動部材２２４の上壁部２２４ｄは、樋状基部２２３の左側壁部２２３ｅ及び右側壁部２２３ｆの上面と密接する平面状下面を備え、樋状基部２２３の左側壁部２２３ｅと右側壁部２２３ｆの外側に嵌合する幅を有している。
そして、可動部材２２４の左側壁部２２４ｅの内側面は、樋状基部２２３の左側壁部２２３ｅの外面と密に接する平面に形成され、可動部材２２４の右側壁部２２４ｆの内側面は、樋状基部２２３の右側壁部２２３ｆの外面と密に接する平面に形成されている。
樋状基部２２３の底面には、可動部材２２４のスリット２２４ａの下方の位置にネジ穴２２３ａが形成されており、このネジ穴２２３ａにネジ２２８が可動部材２２４のスリット２２４ａを貫通して螺着している。
そして、ネジ２２８を緩めると、可動部材２２４がスライド可能となる。ネジ２２８を締めると、可動部材２２４が樋状基部２２３に固定される。
可動部材２２４の先端部にはコンセント取り付け板２２４ｂが折り曲げ加工によって形成されている。このコンセント取り付け板２２４ｂにコンセント２６０の裏面に設けたネジ２６０ａが挿通され、蝶ナット２６３を螺着して締めることによってコンセント２６０が取り付けられている。
さらに、コンセント２６０の裏面から導出した電源コード２６２は、可動部材２２４に形成した穴２２４ｃを通ってアーム部２２２内に配設され、樋状基部２２３に形成した穴２２３ｂを通ってアーム部２２２の外に導出している。この展示本体２は、胴部２１の長手方向が垂直方向になるように、陳列場所の壁面（あるいは陳列用ボード面や金網面など）に取り付けられた横バー７０に留め具３によって係止される。
【００４２】
展示用ボード２６４はプラスチック板などからなり、所定の位置に展示品（本第２実施形態の場合は、ＡＣ１００Ｖ電源を用いる照明製品である足下灯）２８０のプラグを挿通するための一対の穴２６４ａが形成されている。穴２６４ａの上方には、展示用ボード２６４の裏側に切り起こされた位置決め用突片２６９が形成されている。展示用ボード２６４の表面側部には、コ字形状のプレート貼付部２６８が設けられている。さらに、盗難防止用ワイヤ２６６が展示用ボード２６４に取り付けられている。
【００４３】
以上の構成からなる展示什器１Ａを用いた展示、陳列の一例について説明する。
図９に示すように、展示用ボード２６４の表面側から展示品２８０のプラグを穴２６４ａに差し込む。次に、盗難防止用ワイヤ２６６の両端に装着している円筒型カシメ端子２６１を、展示用ボード２６４の裏面においてペンチ１００などでかしめて、盗難防止用ワイヤ２６６で展示品２８０を固定する。
【００４４】
次に、展示用ボード２６４の裏面から突出している展示品２８０のプラグを、展示本体２のコンセント２６０に差し込む。さらに、展示用ボード２６４のプレート貼付部２６８に、商品の簡単な説明文や宣伝文を記載したプレート９０を貼り付ける。
【００４５】
次に、留め具３を正面から横バー７０の前面に被せ、下から展示本体２の胴部２１を留め具３の一対の足部３２，３３のそれぞれの矩形穴３４，３５の向こう側に挿通し、横バー７０の背面側に配設する。この後、固定ネジ３８ａ，３８ｂを締めて展示本体２を横バー７０に仮固定する。
【００４６】
次に、展示本体２のアーム部２２２のネジ２２８を緩め、可動部材２２４を前後にスライドさせてアーム部２２２全体の長さを調整する。このように、アーム部２２２を伸縮させることにより、商品を収容したパッケージ８５の数量やパッケージ８５の厚みに合わせて商品陳列用スペースの奥行きを広くしたり、狭くしたりして最適な商品陳列用スペースを確保することができる。この後、ネジ２２８を締めて可動部材２２４を樋状基部２２３に固定する。
【００４７】
次に、留め具３の二つの固定ネジ３８ａ，３８ｂを緩め、展示本体２の胴部２１を横バー７０に対して上下にスライドさせ、展示本体２の高さ位置（言い換えると、展示品２８０の高さ位置）を調整して本固定する。さらに、吊り下げ具５の根元部に設けた固定部５２を上から横バー７０に嵌め合わせて吊り下げ具５を装着する。この後、展示品８０と同一の商品を収容したパッケージ８５を、吊り下げ孔８６にフック５１を貫挿して、吊り下げることによって、容易にパッケージ８５に入れられた商品を陳列することができる。
【００４８】
以上のように、展示本体２のアーム部２２２の先端部にコンセント２６０が設けられているので、展示品２８０が足下灯などの小型の照明製品である場合に、たとえば点灯している状態などのような通電状態の展示品２８０を顧客が見ることができる。したがって、展示品２８０が顧客の目につき易く、顧客へのアピール度を高くできる。一方、コンセント２６０の後方の展示本体２のアーム部２２２の上方には、空きスペースが形成されており、この空きスペースを商品陳列用スペースとして有効利用することができる。この結果、展示品２８０とパッケージ８５を省スペースで展示、陳列することができる展示什器１Ａが得られる。そして、前記第１実施形態の展示品支持部４の代わりにコンセント２６０が用いられているので、展示品２８０が小型の電気製品である場合に通電状態の製品を顧客が具体的に見ることができ、顧客へのアピール度がより一層高くなる。
【００４９】
また、展示用ボード２６４がコンセント２６０に装着されているため、展示用ボード２６４によって展示品２８０の背景をデザイン化して顧客の注意力を引いたり、あるいは、展示用ボード２６４のプレート貼付部２６８に商品の簡単な説明文や宣伝文を記載したプレート９０を貼り付けたりして、顧客吸引力をより一層向上させることができる。
【００５０】
なお、蝶ナット２６３を緩めることにより、コンセント２６０を９０°回転させることができる。それにより、コンセント２６０のプラグ挿入穴の配置を９０°変えることができる。したがって、展示品２８０の形状や展示方法に関して、種々のバリエーションに対応することができる。
【００５１】
（他の実施形態）
なお、本発明は前記実施の形態に限定されるものではなく、その要旨の範囲内で種々に変形される。例えば、前記実施形態では、商品のパッケージ８１，８５を吊り下げる吊り下げ具５を展示本体２のアーム部２２２の上方に配置して、パッケージ８１，８５をアーム部２２２の上方に陳列しているが、必ずしもこれに限定されるものではない。すなわち、展示本体２の替わりに、胴部２１の上部表面にアーム部２２２を前に突き出するように設けた逆展示本体を形成し、パッケージ８１，８５を吊り下げる吊り下げ具５を逆展示本体のアーム部２２２の下方に配置して、パッケージ８１，８５をアーム部２２２の下方に陳列するものであってもよい。
【００５２】
また、細い棒状の吊り下げ具５の代わりに、商品のパッケージを積載するための網棚を装着した展示什器であってもよい。
【符号の説明】
【００５３】
１、１Ａ  展示什器
２  展示本体
３  留め具
４  展示品支持部
５  吊り下げ具
２１  胴部
２１ａ  穴
２１ｄ  胴部本体
２１ｅ  左側部
２１ｆ  右側部
２２，２２２  アーム部
２３，２２３  基部（筒状基部または樋状基部）
２３ａ  スリット
２２３ａ  ネジ穴
２３ｄ  上壁部
２３ｅ，２２３ｅ  左壁部
２３ｆ，２２３ｆ  右壁部
２３ｇ，２２３ｇ  下壁部
２４，２２４  可動部材
２２４ａ  スリット
２２４ｂ  コンセント取り付け板
２２４ｃ  穴
２４ｄ，２２４ｄ  上壁部
２４ｅ，２２４ｅ  左壁部
２４ｆ，２２４ｆ  右壁部
２４ｇ  ネジ穴
２５  ネジ
２６  リール
２７  ワイヤ
２８，２２８  ネジ
３１  頭部
３１ａ，３１ｂ  ネジ穴
３２，３３  足部
３２ａ，３３ａ  左足部
３２ｂ，３３ｂ  右足部
３２ｃ，３３ｃ  架設部
３４，３５  矩形穴
３６  ネジ穴
３８ａ，３８ｂ  固定ネジ
４１  穴
４２  支持部
４４  展示品載置・固定部
５１  フック
５２  固定部
５２ａ  上壁部
２６０  コンセント
２６０ａ  ネジ
６１  円筒型カシメ端子
６１ａ  抜け防止用ストッパ
２６３  蝶ナット
２６２  電源コード
２６４  展示用ボード
２６４ａ  穴
２６６  盗難防止用ワイヤ
２６８  プレート貼付部
２６９  位置決め用突片
７０  横バー
７０ａ  上壁部
７０ｂ  前壁部
７０ｃ  後壁部
７０ｄ  下壁部
８０，８４，２８０  展示品
８１，８５  パッケージ
８６  吊り下げ孔
９０  プレート
９５  クリップ
１００  ペンチ
【図１】
2010233889.tif 000003
【図２】
2010233889.tif 000004
【図３Ａ】
2010233889.tif 000005
【図３Ｂ】
2010233889.tif 000006
【図４】
2010233889.tif 000007
【図５】
2010233889.tif 000008
【図６】
2010233889.tif 000009
【図７】
2010233889.tif 000010
【図８】
2010233889.tif 000011
【図９】
2010233889.tif 000012
【手続補正書】
【提出日】平成21年4月1日(2009.4.1)
【手続補正１】
【補正対象書類名】明細書
【補正対象項目名】００１２
【補正方法】変更
【補正の内容】
【００１２】
請求項４に係る発明は、前記アーム部は、胴部の前方において、前後方向に伸縮することを特徴とする、請求項１ないし請求項３のいずれかに記載の展示什器である。
【手続補正２】
【補正対象書類名】明細書
【補正対象項目名】００２８
【補正方法】変更
【補正の内容】
【００２８】
この展示本体２は、胴部２１の長手方向が垂直方向になるように、陳列場所の壁面（あるいは陳列用ボード面や金網面など）に取り付けられた商品陳列用固定棒たる横バー７０に、留め具３によって係止される。
横バー７０は、水平面上をのび、上面が平面の平板状上壁部７０ａと、前記上壁部７０ａの前端より垂下された前面が平面の平板状の前壁部７０ｂ及び前記上壁部７０ａの後端より垂下された後面が平面の平板状の後壁部７０ｃと、前壁部７０ｂと後壁部７０ｃの下端において架け渡された下壁部７０ｄとを備えた断面略□字形の角筒状である。
横バー７０は、横バー７０の前壁部７０ｂ及び後壁部７０ｃが陳列場所の壁面と平行で水平にのびるように、陳列場所の壁面等に取り付けられる。
【手続補正３】
【補正対象書類名】明細書
【補正対象項目名】００２９
【補正方法】変更
【補正の内容】
【００２９】
留め具３は、側面視略コ字形をしており、頭部３１および頭部３１の上端及び下端に連設した一対の足部３２，３３を備える。
頭部３１は、胴部２１の胴部本体２１ｄの幅よりも長い幅を有し且つ横バー７０の高さすなわち前壁部７０ｂ及び後壁部７０ｃの高さより若干長い高さを有し、垂直方向にのびる平板状の正面視略長方形である。
足部３２は、頭部３１の上端より後方に向けて突き出し設けられ、下面が平面の平板状で頭部３１と直交するように形成され、足部３３は、頭部３１の下端より後方に向けて突き出し設けられ、上面が平面の平板状で頭部３１と直交するように形成されている。足部３２の下面と足部３３の上面との間隔は、足部３２の下面が横バー７０の上壁部７０ａの上面と密接し、足部３３の上面が横バー７０の下壁部７０ｄの下面と密接するように、空けられ、足部３２と足部３３とは対向している。
足部３２は、頭部３１の左側から突き出された左足部３２ａと頭部３１の右側から突き出された右足部３２ｂとに分かれており、左足部３２ａの後端と右足部３２ｂの後端とは、平板状の架設部３２ｃが横架されて連設されている。
足部３３は、頭部３１の左側から突き出された左足部３３ａと頭部３１の右側から突き出された右足部３３ｂとに分かれており、左足部３３ａの後端と右足部３３ｂの後端とは、平板状の架設部３３ｃが横架されて連設されている。
この実施の形態においては、足部３２，３３の先端部は、展示本体２の胴部２１の背面に当接するように外方向に直角に折り曲げられて、架設部３２ｃ，３３ｃが形成されている。
足部３２，３３には、それぞれ、展示本体２の胴部２１を挿通するための矩形穴３４，３５が形成されている。
足部３２に穿設された矩形穴３４は、平面略方形であり、足部３３に穿設された矩形穴３５は、平面略方形であり、矩形穴３４と矩形穴３５とは、略同一の形状である。
足部３２及び３３に形成された矩形穴３４，３５の幅は、展示本体２の胴部２１の幅と略同じ幅を有している。足部３２及び足部３３の奥行きの長さすなわち前後方向における長さは、展示本体２の胴部２１の奥行きの長さすなわち左側部２１ｅ及び右側部２１ｆの前後方向における長さと、横バー７０の奥行きの長さすなわち前後方向における長さと、後述する吊り下げ具５の固定部５２を嵌合するための奥行きの長さすなわち前後方向における長さとの和とほぼ同じかそれより長く形成されている。
さらに、頭部３１には、二つのネジ穴３１ａ，３１ｂが、適宜な間隔をあけて形成されており、このネジ穴３１ａ，３１ｂに固定ネジ３８ａ，３８ｂが螺着している。
左側のネジ穴３１ａと右側のネジ穴３１ｂとの間隔は、後述する吊り下げ具５の固定部５２の幅より広い間隔に形成され、ネジ穴３１ａに螺着された固定ネジ３８ａ及びネジ穴
３１ｂに螺着された固定ネジ３８ｂが、いずれも横バー７０の前面すなわち前壁部７０ｂの前面に接し、固定ネジ３８ａと固定ネジ３８ｂとが横バー７０を後方に向けて押圧し、架設部３２ｃ及び架設部３３ｃとにより挟持して展示本体２を横バー７０に固定することができるように構成されている。
【手続補正４】
【補正対象書類名】明細書
【補正対象項目名】００５１
【補正方法】変更
【補正の内容】
【００５１】
（他の実施形態）
なお、本発明は前記実施の形態に限定されるものではなく、その要旨の範囲内で種々に変形される。例えば、前記実施形態では、商品のパッケージ８１，８５を吊り下げる吊り下げ具５を展示本体２のアーム部２２，２２２の上方に配置して、パッケージ８１，８５をアーム部２２，２２２の上方に陳列しているが、必ずしもこれに限定されるものではない。すなわち、展示本体２の替わりに、胴部２１の上部表面にアーム部２２，２２２を前に突き出するように設けた逆展示本体を形成し、パッケージ８１，８５を吊り下げる吊り下げ具５を逆展示本体のアーム部２２，２２２の下方に配置して、パッケージ８１，８５をアーム部２２，２２２の下方に陳列するものであってもよい。
【手続補正５】
【補正対象書類名】明細書
【補正対象項目名】００５３
【補正方法】変更
【補正の内容】
【００５３】
１、１Ａ  展示什器
２  展示本体
３  留め具
４  展示品支持部
５  吊り下げ具
２１  胴部
２１ａ  穴
２１ｄ  胴部本体
２１ｅ  左側部
２１ｆ  右側部
２２，２２２  アーム部
２３，２２３  基部（筒状基部または樋状基部）
２３ａ  スリット
２２３ａ  ネジ穴
２３ｄ  上壁部
２３ｅ，２２３ｅ  左壁部
２３ｆ，２２３ｆ  右壁部
２３ｇ，２２３ｇ  下壁部
２４，２２４  可動部材
２２４ａ  スリット
２２４ｂ  コンセント取り付け板
２２４ｃ  穴
２４ｄ，２２４ｄ  上壁部
２４ｅ，２２４ｅ  左壁部
２４ｆ，２２４ｆ  右壁部
２４ｇ  ネジ穴
２５  ネジ
２６  リール
２７  ワイヤ
２８，２２８  ネジ
３１  頭部
３１ａ，３１ｂ  ネジ穴
３２，３３  足部
３２ａ，３３ａ  左足部
３２ｂ，３３ｂ  右足部
３２ｃ，３３ｃ  架設部
３４，３５  矩形穴
３８ａ，３８ｂ  固定ネジ
４１  穴
４２  支持部
４４  展示品載置・固定部
５１  フック
５２  固定部
５２ａ  上壁部
２６０  コンセント
２６０ａ  ネジ
６１  円筒型カシメ端子
６１ａ  抜け防止用ストッパ
２６３  蝶ナット
２６２  電源コード
２６４  展示用ボード
２６４ａ  穴
２６６  盗難防止用ワイヤ
２６８  プレート貼付部
２６９  位置決め用突片
７０  横バー
７０ａ  上壁部
７０ｂ  前壁部
７０ｃ  後壁部
７０ｄ  下壁部
８０，２８０  展示品
８１，８５  パッケージ
８２，８６  吊り下げ孔
９０  プレート
９５  クリップ
１００  ペンチ